(57)【要約】【課題】メンバ管理サーバを別途備える必要無しに、複数の端末について複合されたプレゼンス情報を提供することができるプレゼンス管理方法及びシステムを提供する。【解決手段】プレゼンスサーバは、２つの端末識別子をペアリングして管理するペアリング管理リストを有する。第１の端末と第２の端末との間で、端末識別子を交換する。次に、第１の端末及び第２の端末はそれぞれ、自側端末識別子及び相手側端末識別子を含むペアリング要求メッセージを、プレゼンスサーバへ送信する。これに対し、プレゼンスサーバが、２つの端末識別子を１つのエントリとして、ペアリング管理リストに登録する。そして、プレゼンスサーバが、第１の端末又は第２の端末に関する購読メッセージを受信した際に、ペアリング管理リストにエントリされた第１の端末及び第２の端末における報告メッセージを送信する。【選択図】図２
2011015296.tif 000002
【特許請求の範囲】
【請求項１】
プレゼンス情報を管理するプレゼンスサーバと、該プレゼンス情報を登録又は購読する複数の端末とを有するシステムにおけるプレゼンス管理方法において、
前記端末は各々、端末識別子を有し、
前記プレゼンスサーバは、２つの端末識別子をペアリングして管理するペアリング管理リストを有し、
第１の端末が、第１の端末識別子を、第２の端末へ送信すると共に、第２の端末が、第２の端末識別子を、第１の端末へ送信することによって、識別子を交換する第１のステップと、
第１の端末が、第１の端末識別子及び第２の端末識別子を含む第１のペアリング要求メッセージを、前記プレゼンスサーバへ送信すると共に、第２の端末が、第２の端末識別子及び第１の端末識別子を含む第２のペアリング要求メッセージを、前記プレゼンスサーバへ送信する第２のステップと、
前記プレゼンスサーバが、第１の端末識別子及び第２の端末識別子を１つのエントリとして、前記ペアリング管理リストに登録する第３のステップと、
前記プレゼンスサーバが、第１の端末又は第２の端末に関する購読メッセージを受信した際に、前記ペアリング管理リストにエントリされた第１の端末及び第２の端末における報告メッセージを送信する第４のステップと
を有することを特徴とするプレゼンス管理方法。
【請求項２】
前記端末は各々、当該端末を所有するユーザのユーザ識別子を更に有し、
前記端末識別子は、前記ユーザ識別子を対として取り扱われる
ことを特徴とする請求項１に記載のプレゼンス管理方法。
【請求項３】
第１の端末はユーザ所有の端末であり、第２の端末は公衆共用の端末であり、
第１のステップについて、第１の端末と第２の端末との間は、短距離無線通信リンクによって接続され、
前記短距離無線リンクは、非接触型電磁誘導通信、ブルートゥース又は赤外線である
ことを特徴とする請求項１又は２に記載のプレゼンス管理方法。
【請求項４】
前記プレゼンスサーバは、前記ペアリング要求メッセージに含まれる複数の識別子をエントリとして一時的に蓄積するペアリング要求保持リストを更に有し、
第２のステップについて、
前記プレゼンスサーバが、前記端末から前記ペアリング要求メッセージを受信した際に、当該メッセージに含まれる識別子を、前記ペアリング要求保持リストへ登録するステップと、
前記プレゼンスサーバが、前記ペアリング要求保持リストに、自側識別子と相手側識別子とが相対するエントリが「登録」されている場合、前記ペアリング管理リストへ、第１の端末及び第２の端末のペアリングのエントリを登録すると共に、当該ペアリング要求保持リストから当該エントリを削除し、「登録」されていない場合、前記ペアリング要求メッセージに含まれる識別子を、前記ペアリング要求保持リストのエントリに新たに登録するステップと
を更に有することを特徴とする請求項１から３のいずれか１項に記載のプレゼンス管理方法。
【請求項５】
前記ペアリング要求メッセージは、前記プレゼンスサーバの前記ペアリング管理リストへのペアリング登録期間を更に含み、
前記ペアリング管理リストは、第１のペアリング要求メッセージに含まれる前記ペアリング登録期間と、第２のペアリング要求メッセージに含まれる前記ペアリング登録期間とを比較して短い方の期間が経過したエントリを削除し、
前記ペアリング要求保持リストは、削除されたエントリにおける前記ペアリング登録期間が長い方のエントリのみを新たに登録する
ことを特徴とする請求項１から４のいずれか１項に記載のプレゼンス管理方法。
【請求項６】
前記端末は、前記プレゼンスサーバの前記ペアリング管理リストへの新たなペアリング登録期間を含むペアリング登録期間変更メッセージを、前記プレゼンスサーバへ送信し、
前記プレゼンスサーバは、前記ペアリング登録期間変更メッセージを受信した際に、前記プレゼンスサーバの前記ペアリング管理リストへのペアリング登録期間を変更する
ことを特徴とする請求項５に記載のプレゼンス管理方法。
【請求項７】
前記ペアリング要求メッセージは、前記プレゼンスサーバの前記ペアリング要求保持リストへのエントリ保持期間を更に含み、
前記ペアリング要求保持リストは、前記エントリ保持期間が経過したエントリを削除することを特徴とする請求項１から６のいずれか１項に記載のプレゼンス管理方法。
【請求項８】
ＳＩＰ(Session Initiation Protocol)／ＳＩＭＰＬＥ(SIP for Instant Messaging and Presence Leveraging Extensions)を用いたプレゼンスシステムに搭載されており、
前記ペアリング要求メッセージは、PUBLISHメッセージであり、
前記購読メッセージは、SUBSCRIBEメッセージであり、
前記報告メッセージは、NOTIFYメッセージである
ことを特徴とする請求項１から７のいずれか１項に記載のプレゼンス管理方法。
【請求項９】
プレゼンス情報を管理するプレゼンスサーバと、該プレゼンス情報を登録又は購読する複数の端末とを有するプレゼンス管理システムにおいて、
前記端末は、
自ら保持する自側端末識別子を、他の端末へ送信すると共に、該他の端末から相手側端末識別子を受信することによって、識別子を交換する第１の通信手段と、
自側端末識別子及び相手側端末識別子を含むペアリング要求メッセージを、前記プレゼンスサーバへ送信する第２の通信手段と
を有し、
前記プレゼンスサーバは、
前記端末から、前記ペアリング要求メッセージを受信する通信手段と、
２つの端末識別子をペアリングした１つのエントリとして登録するペアリング管理リストと、
当該端末に関する購読メッセージを受信した際に、前記ペアリング管理リストにエントリされた複数の端末における報告メッセージを送信するプレゼンス提供手段と
を有することを特徴とするプレゼンス管理システム。
【請求項１０】
前記端末は各々、当該端末を所有するユーザのユーザ識別子を更に有し、
前記端末識別子は、前記ユーザ識別子を対として取り扱われる
ことを特徴とする請求項９に記載のプレゼンス管理システム。
【請求項１１】
端末間は、短距離無線通信リンクによって接続され、
前記短距離無線リンクは、非接触型電磁誘導通信、ブルートゥース又は赤外線である
ことを特徴とする請求項９又は１０に記載のプレゼンス管理システム。
【請求項１２】
前記プレゼンスサーバは、
前記端末から前記ペアリング要求メッセージを受信した際に、当該メッセージに含まれる複数の識別子をエントリとして一時的に蓄積するペアリング要求保持リストと、
前記ペアリング要求保持リストに、自側識別子と相手側識別子とが相対するエントリが「登録」されている場合、前記ペアリング管理リストへ、第１の端末及び第２の端末のペアリングのエントリを登録すると共に、当該ペアリング要求保持リストから当該エントリを削除し、「登録」されていない場合、前記ペアリング要求メッセージに含まれる識別子を、前記ペアリング要求保持リストのエントリに新たに登録するリスト制御手段と
を更に有することを特徴とする請求項９から１１のいずれか１項に記載のプレゼンス管理システム。
【請求項１３】
前記ペアリング要求メッセージは、前記プレゼンスサーバの前記ペアリング管理リストへのペアリング登録期間を更に含み、
前記プレゼンスサーバの前記リスト制御手段は、
前記ペアリング管理リストに対して、第１のペアリング要求メッセージに含まれる前記ペアリング登録期間と、第２のペアリング要求メッセージに含まれる前記ペアリング登録期間とを比較して短い方の期間が経過したエントリを削除し、
前記ペアリング要求保持リストに対して、削除されたエントリにおける前記ペアリング登録期間が長い方のエントリのみを新たに登録する
ことを特徴とする請求項９から１２のいずれか１項に記載のプレゼンス管理システム。
【請求項１４】
前記端末は、前記プレゼンスサーバの前記ペアリング管理リストへの新たなペアリング登録期間を含むペアリング登録期間変更メッセージを、前記プレゼンスサーバへ送信し、
前記プレゼンスサーバの前記リスト制御手段は、前記ペアリング登録期間変更メッセージを受信した際に、前記プレゼンスサーバの前記ペアリング管理リストへのペアリング登録期間を変更する
ことを特徴とする請求項１３に記載のプレゼンス管理システム。
【請求項１５】
前記ペアリング要求メッセージは、前記プレゼンスサーバの前記ペアリング要求保持リストへのエントリ保持期間を更に含み、
前記プレゼンスサーバの前記リスト制御手段は、前記エントリ保持期間が経過したエントリを削除する
ことを特徴とする請求項９から１４のいずれか１項に記載のプレゼンス管理システム。
【請求項１６】
ＳＩＰ(Session Initiation Protocol)／ＳＩＭＰＬＥ(SIP for Instant Messaging and Presence Leveraging Extensions)を用いたプレゼンスシステムに搭載されており、
前記ペアリング要求メッセージは、PUBLISHメッセージであり、
前記購読メッセージは、SUBSCRIBEメッセージであり、
前記報告メッセージは、NOTIFYメッセージである
ことを特徴とする請求項９から１５のいずれか１項に記載のプレゼンス管理システム。
【発明の詳細な説明】
【技術分野】
【０００１】
本発明は、プレゼンス情報を管理するプレゼンス管理方法及びシステムに関する。特に、ＳＩＭＰＬＥ(SIP for Instant Messaging and Presence Leveraging Extensions)を用いたプレゼンスシステムに関する。
【背景技術】
【０００２】
プレゼンスシステムとは、ユーザ（端末）の状態（[オンライン][オフライン][ビジー][不在]等）を、他のユーザ（端末）へ向けて通知するシステムをいう。このようなシステムは、例えばテレビ電話会議システムに用いられる。プレゼンスシステムは、現在では、ユーザの状態だけでなく、端末の処理能力又は位置情報などの情報も、プレゼンス情報として扱うことができる。プレゼンス情報を送受信するプロトコルとして、ＳＩＭＰＬＥが標準仕様となっている。ＳＩＭＰＬＥは、インスタントメッセージ及びプレゼンスサービスを実現するために、ＳＩＰを拡張した技術である。
【０００３】
図１は、従来技術におけるプレゼンスシステムのシーケンス図である。
【０００４】
図１によれば、プレゼンスサーバ１は、複数のユーザ端末２によって接続される。ここでは、端末Ａ１及び端末Ａ２は、ユーザＡによって所有されており、端末Ｂ１は、ユーザＢによって所有されている。
【０００５】
（Ｓ１０１）端末Ａ１は、ユーザの状態によってプレゼンス情報を生成する。端末Ａ１は、プレゼンスサーバ１へ、そのプレゼンス情報を登録するためのPUBLISHメッセージを送信する。
PUBLISHメッセージ（登録、ユーザ識別子[userA]、端末識別子[devA1]）
PUBLISHメッセージを受信したプレゼンスサーバ１は、そのプレゼンス情報を登録する。
ユーザ識別子[userA]<->端末識別子[devA1]
【０００６】
（Ｓ１０２）端末Ａ２も、Ｓ１０１の端末Ａ１と同様に、プレゼンスサーバ１へ、プレゼンス情報を登録するためのPUBLISHメッセージを送信する。
PUBLISH（登録、ユーザ識別子[userA]、端末識別子[devA2]）
ここで、プレゼンスサーバ１は、既に登録しているプレゼンス情報の中で、同一ユーザ識別子のプレゼンス情報を検索する。そして、同一ユーザ識別子のプレゼンス情報を検索した場合、それら２つのプレゼンス情報を、同一ユーザ識別子に対応させて、複合する。
ユーザ識別子[userA]<->端末識別子[devA1]
<->端末識別子[devA2]
【０００７】
（Ｓ１０３）端末Ａ２を操作するユーザＡは、自らが所有している他の端末である端末Ａ１のプレゼンス情報を、端末Ａ２によって購読したいとする。このとき、端末Ａ２は、プレゼンスサーバ１へ、端末Ａ１のプレゼンス情報の購読を要求するSUBSCRIBEメッセージを送信する。
SUBSCRIBE（ユーザ識別子[userA]）
【０００８】
（Ｓ１０４）SUBSCRIBEメッセージを受信したプレゼンスサーバ１は、そのプレゼンス情報を報告するNOTIFYメッセージを、端末Ａ２へ返信する。NOTIFYメッセージは、端末Ａ１のプレゼンス情報と、端末Ａ２のプレゼンス情報とを含む。
NOTIFY（報告、端末識別子[devA1]、端末識別子[devA2]）
【０００９】
Ｓ１０１〜Ｓ１０４のシーケンスにより、端末Ａ２は、端末Ａ１及び端末Ａ２の複合されたプレゼンスを購読することができる。例えば、ユーザＡは、端末Ａ２に対する操作中に、その操作を端末Ａ１に引き継ぐこともできる。プレゼンスサーバ１が、端末識別子をユーザ識別子に対応付けて登録することにより、ユーザは、自ら所有する複数の端末を操作することができる。
【００１０】
一方、ユーザ識別子が異なる場合、プレゼンスサーバ１は、端末識別子をユーザ識別子に対応付けて登録することができない。例えば、他のユーザによって所有される端末や、特定のユーザに所有させない公共端末は、ユーザ識別子が異なる。即ち、異なるユーザにおける複数の端末のプレゼンス情報は、プレゼンスサーバによって複合することができない。従って、一方のユーザの端末におけるプレゼンス情報は、他方のユーザの端末から購読することができない。
【００１１】
これに対して、複数の端末を１つのグループに構成し、そのグループメンバのプレゼンス情報を一括管理する技術がある（例えば非特許文献１参照）。この技術のプレゼンスシステムは、プレゼンスサーバ１及びユーザ端末２以外に、グループメンバを管理するメンバ管理サーバ３を更に有する。
【００１２】
（Ｓ１１１）ユーザＢに所有される端末Ｂ１は、プレゼンスサーバ１へ、そのプレゼンス情報を登録するためのPUBLISHメッセージを送信する。
PUBLISHメッセージ（ユーザ識別子[userB]、端末識別子[devB1]）
PUBLISHメッセージを受信したプレゼンスサーバ１は、そのプレゼンス情報を登録する。
ユーザ識別子[userB]<->端末識別子[devB1]
【００１３】
（Ｓ１１２）端末Ａ１は、メンバ管理サーバ３へ、端末Ａ１、端末Ａ２及び端末Ｂ１をメンバとするメンバ作成メッセージを送信する。
メンバ作成メッセージ（[devA1],[devA2],[devB1]）
【００１４】
（Ｓ１１３）メンバ作成メッセージを受信したメンバ管理サーバ３は、グループ識別子[grp1]を含むメンバリストメッセージを、端末Ａ１へ返信する。
メンバリストメッセージ（グループ識別子[grp1]）
【００１５】
（Ｓ１１４）端末Ａ１を操作するユーザＡは、そのグループ[grp1]におけるプレゼンス情報を購読したいとする。このとき、端末Ａ１は、メンバ管理サーバ３へ、グループ識別子[grp1]を含む、メンバプレゼンス情報の購読を要求するSUBSCRIBEメッセージを送信する。
SUBSCRIBEメッセージ（グループ識別子[grp1]）
このSUBSCRIBEメッセージは、メンバ管理サーバ３によって受信される。
【００１６】
（Ｓ１１５）メンバ管理サーバ３は、プレゼンスサーバ１へ、ユーザＡのプレゼンス情報の購読を要求するSUBSCRIBEメッセージを送信する。
SUBSCRIBE（ユーザ識別子[userA]）
SUBSCRIBEメッセージを受信したプレゼンスサーバ１は、そのプレゼンス情報を報告するNOTIFYメッセージを、メンバ管理サーバ３へ返信する。
NOTIFY（端末識別子[devA1]、端末識別子[devA2]）
【００１７】
次に、メンバ管理サーバ３は、プレゼンスサーバ１へ、ユーザＢのプレゼンス情報の購読を要求するSUBSCRIBEメッセージを送信する。
SUBSCRIBE（ユーザ識別子[userB]）
SUBSCRIBEメッセージを受信したプレゼンスサーバ１は、そのプレゼンス情報を報告するNOTIFYメッセージを、メンバ管理サーバ３へ返信する。
NOTIFY（端末識別子[devB1]）
これにより、メンバ管理サーバ３は、プレゼンスサーバ１から、グループのメンバとなる端末Ａ１、端末Ａ２及び端末Ｂ１のプレゼンス情報を受信する。
【００１８】
（Ｓ１１６）メンバ管理サーバ３は、端末Ａ１、端末Ａ２及び端末Ｂ１のプレゼンス情報を、メンバプレゼンス情報として複合する。そして、メンバ管理サーバ３は、そのメンバプレゼンス情報を報告するNOTIFYメッセージを、端末Ａ１へ返信する。
NOTIFY（端末識別子[devA1]、[devA2]、[devB1]）
【００１９】
Ｓ１１１〜Ｓ１１６のシーケンスにより、端末Ａ１は、端末Ａ１、端末Ａ２及び端末Ｂの複合されたメンバプレゼンス情報を購読することができる。例えば、ユーザＡは、端末Ａ１に対する操作中に、その操作を端末Ｂ１に引き継ぐこともできる。また、端末Ａ２及び端末Ｂ１も、同様に、メンバ管理サーバ３へ、メンバプレゼンス情報の購読を要求するSUBSCRIBEメッセージを送信し、メンバプレゼンス情報を取得することができる。尚、グループのメンバの追加、削除及び変更は、メンバリストを変更したメンバ作成メッセージをメンバ管理サーバ３へ送信することによってできる。
【００２０】
尚、本願と同一出願人によれば、プレゼンスサーバの負荷を軽減するために、端末とプレゼンスサーバとの間に負荷分散サーバを備えたシステムがある（例えば特許文献１参照）。また、複数の端末をペアリングすることによって、携帯用コンテンツをテレビに転送することができる技術もある（例えば特許文献２参照）。
【先行技術文献】
【特許文献】
【００２１】
【特許文献１】特開２００９−０１５４８５号公報
【特許文献２】特開２００９−０９４７９９号公報
【非特許文献】
【００２２】
【非特許文献１】「Internet-Draft Membership Event Packagedraft-singh-simple-membership-01.txt、２００８年５月１４日、[online]、［平成２１年６月３０日検索］、インターネット＜URL:http://tools.ietf.org/id/draft-singh-simple-membership-01.txt＞
【発明の概要】
【発明が解決しようとする課題】
【００２３】
非特許文献１に記載された技術によれば、メンバ管理サーバが、異なるユーザによって所有される複数の端末のプレゼンス情報を複合することによって、メンバプレゼンス情報を生成し、グループメンバ内における端末の共有を実現している。
【００２４】
しかしながら、メンバ管理サーバが、システム内に別途備えられる必要がある。また、各端末は、常にグループ管理サーバへアクセスし、グループ識別子を取得し、そのグループ識別子を別途管理する必要がある。更に、メンバ管理サーバが、第三者によって運営管理されている場合、グループメンバに、不正な端末が追加される場合もある。秘匿性を要するグループメンバについて、追加、削除及び変更が、メンバ管理サーバの運営者によって監視されることも問題がある。
【００２５】
そこで、本発明は、メンバ管理サーバを別途備える必要無しに、複数の端末について複合されたプレゼンス情報を提供することができるプレゼンス管理方法及びシステムを提供することを目的とする。
【課題を解決するための手段】
【００２６】
本発明によれば、プレゼンス情報を管理するプレゼンスサーバと、該プレゼンス情報を登録又は購読する複数の端末とを有するシステムにおけるプレゼンス管理方法において、
端末は各々、端末識別子を有し、
プレゼンスサーバは、２つの端末識別子をペアリングして管理するペアリング管理リストを有し、
第１の端末が、第１の端末識別子を、第２の端末へ送信すると共に、第２の端末が、第２の端末識別子を、第１の端末へ送信することによって、識別子を交換する第１のステップと、
第１の端末が、第１の端末識別子及び第２の端末識別子を含む第１のペアリング要求メッセージを、プレゼンスサーバへ送信すると共に、第２の端末が、第２の端末識別子及び第１の端末識別子を含む第２のペアリング要求メッセージを、プレゼンスサーバへ送信する第２のステップと、
プレゼンスサーバが、第１の端末識別子及び第２の端末識別子を１つのエントリとして、ペアリング管理リストに登録する第３のステップと、
プレゼンスサーバが、第１の端末又は第２の端末に関する購読メッセージを受信した際に、ペアリング管理リストにエントリされた第１の端末及び第２の端末における報告メッセージを送信する第４のステップと
を有することを特徴とする。
【００２７】
本発明のプレゼンス管理方法における他の実施形態によれば、端末は各々、当該端末を所有するユーザのユーザ識別子を更に有し、端末識別子は、ユーザ識別子を対として取り扱われることも好ましい。
【００２８】
本発明のプレゼンス管理方法における他の実施形態によれば、
第１の端末はユーザ所有の端末であり、第２の端末は公衆共用の端末であり、
第１のステップについて、第１の端末と第２の端末との間は、短距離無線通信リンクによって接続され、
短距離無線リンクは、非接触型電磁誘導通信、ブルートゥース又は赤外線である
ことも好ましい。
【００２９】
本発明のプレゼンス管理方法における他の実施形態によれば、
プレゼンスサーバは、ペアリング要求メッセージに含まれる複数の識別子をエントリとして一時的に蓄積するペアリング要求保持リストを更に有し、
第２のステップについて、
プレゼンスサーバが、端末からペアリング要求メッセージを受信した際に、当該メッセージに含まれる識別子を、ペアリング要求保持リストへ登録するステップと、
プレゼンスサーバが、ペアリング要求保持リストに、自側識別子と相手側識別子とが相対するエントリが「登録」されている場合、ペアリング管理リストへ、第１の端末及び第２の端末のペアリングのエントリを登録すると共に、当該ペアリング要求保持リストから当該エントリを削除し、「登録」されていない場合、ペアリング要求メッセージに含まれる識別子を、ペアリング要求保持リストのエントリに新たに登録するステップと
を更に有することも好ましい。
【００３０】
本発明のプレゼンス管理方法における他の実施形態によれば、
ペアリング要求メッセージは、プレゼンスサーバのペアリング管理リストへのペアリング登録期間を更に含み、
ペアリング管理リストは、第１のペアリング要求メッセージに含まれるペアリング登録期間と、第２のペアリング要求メッセージに含まれるペアリング登録期間とを比較して短い方の期間が経過したエントリを削除し、
ペアリング要求保持リストは、削除されたエントリにおけるペアリング登録期間が長い方のエントリのみを新たに登録することも好ましい。
【００３１】
本発明のプレゼンス管理方法における他の実施形態によれば、
端末は、プレゼンスサーバのペアリング管理リストへの新たなペアリング登録期間を含むペアリング登録期間変更メッセージを、プレゼンスサーバへ送信し、
プレゼンスサーバは、ペアリング登録期間変更メッセージを受信した際に、プレゼンスサーバのペアリング管理リストへのペアリング登録期間を変更することも好ましい。
【００３２】
本発明のプレゼンス管理方法における他の実施形態によれば、
ペアリング要求メッセージは、プレゼンスサーバのペアリング要求保持リストへのエントリ保持期間を更に含み、
ペアリング要求保持リストは、エントリ保持期間が経過したエントリを削除することも好ましい。
【００３３】
本発明のプレゼンス管理方法における他の実施形態によれば、
ＳＩＰ(Session Initiation Protocol)／ＳＩＭＰＬＥ(SIP for Instant Messaging and Presence Leveraging Extensions)を用いたプレゼンスシステムに搭載されており、
ペアリング要求メッセージは、PUBLISHメッセージであり、
購読メッセージは、SUBSCRIBEメッセージであり、
報告メッセージは、NOTIFYメッセージであることも好ましい。
【００３４】
本発明によれば、プレゼンス情報を管理するプレゼンスサーバと、該プレゼンス情報を登録又は購読する複数の端末とを有するプレゼンス管理システムにおいて、
端末は、
自ら保持する自側端末識別子を、他の端末へ送信すると共に、該他の端末から相手側端末識別子を受信することによって、識別子を交換する第１の通信手段と、
自側端末識別子及び相手側端末識別子を含むペアリング要求メッセージを、プレゼンスサーバへ送信する第２の通信手段と
を有し、
プレゼンスサーバは、
端末から、ペアリング要求メッセージを受信する通信手段と、
２つの端末識別子をペアリングした１つのエントリとして登録するペアリング管理リストと、
当該端末に関する購読メッセージを受信した際に、ペアリング管理リストにエントリされた複数の端末における報告メッセージを送信するプレゼンス提供手段と
を有することを特徴とする。
【００３５】
本発明のプレゼンス管理システムにおける他の実施形態によれば、端末は各々、当該端末を所有するユーザのユーザ識別子を更に有し、端末識別子は、ユーザ識別子を対として取り扱われることも好ましい。
【００３６】
本発明のプレゼンス管理システムにおける他の実施形態によれば、端末間は、短距離無線通信リンクによって接続され、短距離無線リンクは、非接触型電磁誘導通信、ブルートゥース又は赤外線であることも好ましい。
【００３７】
本発明のプレゼンス管理システムにおける他の実施形態によれば、
プレゼンスサーバは、
端末からペアリング要求メッセージを受信した際に、当該メッセージに含まれる複数の識別子をエントリとして一時的に蓄積するペアリング要求保持リストと、
ペアリング要求保持リストに、自側識別子と相手側識別子とが相対するエントリが「登録」されている場合、ペアリング管理リストへ、第１の端末及び第２の端末のペアリングのエントリを登録すると共に、当該ペアリング要求保持リストから当該エントリを削除し、「登録」されていない場合、ペアリング要求メッセージに含まれる識別子を、ペアリング要求保持リストのエントリに新たに登録するリスト制御手段と
を更に有することも好ましい。
【００３８】
本発明のプレゼンス管理システムにおける他の実施形態によれば、
ペアリング要求メッセージは、プレゼンスサーバのペアリング管理リストへのペアリング登録期間を更に含み、
プレゼンスサーバのリスト制御手段は、
ペアリング管理リストに対して、第１のペアリング要求メッセージに含まれるペアリング登録期間と、第２のペアリング要求メッセージに含まれるペアリング登録期間とを比較して短い方の期間が経過したエントリを削除し、
ペアリング要求保持リストに対して、削除されたエントリにおけるペアリング登録期間が長い方のエントリのみを新たに登録することも好ましい。
【００３９】
本発明のプレゼンス管理システムにおける他の実施形態によれば、
端末は、プレゼンスサーバのペアリング管理リストへの新たなペアリング登録期間を含むペアリング登録期間変更メッセージを、プレゼンスサーバへ送信し、
プレゼンスサーバのリスト制御手段は、ペアリング登録期間変更メッセージを受信した際に、プレゼンスサーバのペアリング管理リストへのペアリング登録期間を変更する
ことも好ましい。
【００４０】
本発明のプレゼンス管理システムにおける他の実施形態によれば、
ペアリング要求メッセージは、プレゼンスサーバのペアリング要求保持リストへのエントリ保持期間を更に含み、
プレゼンスサーバのリスト制御手段は、エントリ保持期間が経過したエントリを削除することも好ましい。
【００４１】
本発明のプレゼンス管理システムにおける他の実施形態によれば、
ＳＩＰ／ＳＩＭＰＬＥを用いたプレゼンスシステムに搭載されており、
ペアリング要求メッセージは、PUBLISHメッセージであり、
購読メッセージは、SUBSCRIBEメッセージであり、
報告メッセージは、NOTIFYメッセージであることも好ましい。
【発明の効果】
【００４２】
本発明のプレゼンス管理方法及びシステムによれば、端末間で端末識別子を交換し、両端末が、互いの端末識別子を含むペアリング要求メッセージをプレゼンスサーバへ送信することによって、メンバ管理サーバを別途備える必要無しに、複数の端末について複合されたプレゼンス情報を提供することができる。
【図面の簡単な説明】
【００４３】
【図１】従来技術におけるプレゼンスシステムのシーケンス図である。
【図２】本発明におけるプレゼンスシステムのシーケンス図である。
【図３】本発明におけるプレゼンスサーバの機能構成図である。
【図４】本発明におけるユーザ端末の機能構成図である。
【図５】本発明におけるプレゼンスサーバのペアリングの説明図である。
【発明を実施するための形態】
【００４４】
以下、本発明の実施の形態について、図面を用いて詳細に説明する。
【００４５】
図２は、本発明におけるプレゼンスシステムのシーケンス図である。
【００４６】
図２によれば、プレゼンスサーバ１は、複数のユーザ端末２から接続される。プレゼンスサーバ１は、ＳＩＰ／ＳＩＭＰＬＥを用いたシステムに搭載されていることが好ましい。
【００４７】
端末Ａ１及び端末Ａ２は、図１と同様に、ユーザＡによって所有されており、端末Ｂ１は、ユーザＢによって所有されている。各端末は、端末識別子と、その端末を所有するユーザのユーザ識別子とを保持する。尚、ユーザ端末２は、携帯電話、携帯端末、ＰＤＡ(Personal Digital Assistant)又はパーソナルコンピュータであってもよい。
【００４８】
本発明のシステムは、ユーザ毎に及び端末毎に管理されているプレゼンス情報を、アドホック的にペアリングすることを特徴とする。具体的には、一方のユーザが所有する端末が、他方のユーザによって所有される端末や、特定のユーザに所有させない公共端末を、一定期間だけ連携させて使用することができる。
【００４９】
また、本発明のプレゼンスサーバ１は、２つのリストを保持する。
ペアリング要求保持リスト：端末から受信したペアリング要求を１つのエントリと
して、一時的に保持するリスト
ペアリング管理リスト    ：２つの端末識別子がペアリングされたものを１つのエ
ントリとして、保持するリスト
【００５０】
（Ｓ２０１）端末Ａ１は、ユーザＡの状態によってプレゼンス情報を生成する。端末Ａ１は、プレゼンスサーバ１へ、そのプレゼンス情報を登録するためのPUBLISHメッセージを送信する。
PUBLISHメッセージ（ユーザ識別子[userA]、端末識別子[devA1]）
PUBLISHメッセージを受信したプレゼンスサーバ１は、そのプレゼンス情報を登録する。
ユーザ識別子[userA]<->端末識別子[devA1]
【００５１】
（Ｓ２０２）端末Ａ２も、Ｓ２０１と同様に、プレゼンスサーバ１へ、そのプレゼンス情報を登録するためのPUBLISHメッセージを送信する。
PUBLISHメッセージ（ユーザ識別子[userA]、端末識別子[devA2]）
PUBLISHメッセージを受信したプレゼンスサーバ１は、そのプレゼンス情報を登録する。
ユーザ識別子[userA]<->端末識別子[devA1]
<->端末識別子[devA2]
【００５２】
（Ｓ２０３）端末Ｂ１も、Ｓ２０１と同様に、プレゼンスサーバ１へ、そのプレゼンス情報を登録するためのPUBLISHメッセージを送信する。
PUBLISHメッセージ（ユーザ識別子[userB]、端末識別子[devB2]）
PUBLISHメッセージを受信したプレゼンスサーバ１は、そのプレゼンス情報を登録する。
ユーザ識別子[userA]<->端末識別子[devA1]
<->端末識別子[devA2]
ユーザ識別子[userB]<->端末識別子[devB1]
【００５３】
（Ｓ２０４）ここで、端末Ａ２を所持したユーザＡが、端末Ｂ１へ接近することを想定する。端末Ａ２は、例えば携帯電話機であって、端末Ｂ１は、例えばインターネットカフェに設置されたような公共端末であるとする。また、端末Ａ２及び端末Ｂ１は、短距離無線リンクで通信可能な無線インタフェースを備える。
【００５４】
ユーザＡは、端末Ａ２の無線インタフェースを、端末Ｂ１の無線インタフェースに近接される。このとき、互いの無線インタフェースは、相手方の無線インタフェースから出力される電波を検出し、短距離無線リンクを確立する。短距離無線リンクは、例えば、非接触型電磁誘導通信、ブルートゥース又は赤外線であってもよい。
【００５５】
端末Ａ２及び端末Ｂ１は、確立された短距離無線リンクを介して、瞬間的に、端末識別子を交換する。端末Ａ２が、その端末識別子[devA1]及びユーザ識別子[userA]を、端末Ａ２へ送信すると共に、端末Ｂ１が、その端末識別子[devB1]及びユーザ識別子[userB]を、端末Ａ１へ送信する。尚、端末Ａ２と端末Ｂとの間は、短距離無線リンクを介して接続される場合に限られず、他の無線／有線リンクを介して接続される場合であってもよい。
【００５６】
（Ｓ２０５）端末Ａ２は、端末Ｂ１から端末識別子[devB1]及びユーザ識別子[userB]を受信した際に、プレゼンスサーバ１へ、第１のペアリング要求であるPUBLISHメッセージを送信する。
【００５７】
ペアリング要求のPUBLISHメッセージは、以下の情報を含む。
（１）ペアリング識別子      ：ペアリングを一意に識別するための識別子
例えば交換した２つの端末識別子を単に連結した識別子
（２）第１の識別子          ：自側のユーザ識別子及び端末識別子
（３）第２の識別子          ：相手側のユーザ識別子及び端末識別子
（４）ペアリング要求保持期間：ペアリング要求保持リストへのエントリ保持期間
（５）ペアリング登録期間    ：ペアリング管理リストへのペアリング登録期間
【００５８】
端末Ａ２からプレゼンスサーバ１へ送信されるPUBLISHメッセージは、以下の情報を含む。
PUBLISHメッセージ（自側ユーザ識別子[userA]、自側端末識別子[devA2]、
相手側ユーザ識別子[userB]、相手側端末識別子[devB1]）
【００５９】
（Ｓ２０６）端末Ｂ１も、Ｓ２０５と同様に、端末Ａ２から端末識別子[devA2]及びユーザ識別子[userA]を受信した際に、プレゼンスサーバ１へ、第２のペアリング要求であるPUBLISHメッセージを送信する。
PUBLISHメッセージ（自側ユーザ識別子[userB]、自側端末識別子[devB1]、
相手側ユーザ識別子[userA]、相手側端末識別子[devA2]）
【００６０】
（Ｓ２０７）プレゼンスサーバ１は、第１のペアリング要求(PUBLISH)メッセージと、第２のペアリング要求(PUBLISH)メッセージとを受信する。自側端末識別子及び相手側端末識別子が相対するペアリング要求メッセージを受信した場合にのみ、ペアリングを実行する。これにより、接近していない異なるユーザ端末同士が、ペアリングされることはない。即ち、遠隔に位置する不正利用の端末が、ペアリングに参加することができない。
【００６１】
図２によれば、第１のペアリング要求(PUBLISH)メッセージと、第２のペアリング要求(PUBLISH)メッセージとは、自側端末識別子及び相手側端末識別子が相対する。従って、プレゼンスサーバ１は、両ユーザ端末のプレゼンス情報をペアリングする。具体的には、第１の端末識別子[devA2/userA]と、第２の端末識別子[devB1/userB]とをペアリングする。このペアリングは、ペアリング管理リストの１つのエントリに登録される。
【００６２】
（Ｓ２０８）端末Ａ１を操作するユーザＡは、自らが操作可能な端末のプレゼンス情報を購読したいとする。このとき、端末Ａ１は、プレゼンスサーバ１へ、購読要求であるSUBSCRIBEメッセージを送信する。
SUBSCRIBE（[userA]）
【００６３】
（Ｓ２０９）プレゼンスサーバ１は、ペアリング管理リストから、SUBSCRIBEメッセージに含まれるユーザ識別子[userA]に関係するエントリを検索する。ペアリング管理リストに登録された複数の端末のプレゼンス情報を、プレゼンスデータベースから取得する。図２によれば、端末Ａ１、端末Ａ２及び端末Ｂ１のプレゼンス情報が取得される。プレゼンスサーバ１は、これらプレゼンス情報含むNOTIFYメッセージを、端末Ａ１へ返信する。
【００６４】
図３は、本発明におけるプレゼンスサーバの機能構成図である。
【００６５】
図３によれば、プレゼンスサーバ１は、通信インタフェース１０２と、プレゼンス提供部１１０と、プレゼンスデータベース１１１と、ペアリング管理リスト１２２と、ペアリング要求保持リスト１２１と、ペアリング要求受信部１２３と、リスト制御部１２４と、とを有する。通信インタフェース１０２を除くこれら機能部は、プレゼンスサーバ１に搭載されたコンピュータを機能させるプログラムを実行することによって実現される。
【００６６】
通信インタフェース１０２は、ネットワーク（例えばインターネット）を介して、複数の端末２から接続される。プレゼンス制御メッセージは、通信インタフェース１０２を介して、端末２との間で送受信される。
【００６７】
プレゼンスデータベース１１１は、ユーザ識別子及び端末識別子毎に対応付けて、プレゼンス情報を蓄積する。
【００６８】
プレゼンス提供部１１０は、プレゼンスデータベース１１１を用いて既存のプレゼンスサービスを提供し、端末２との間で通信インタフェース１０２を介して、プレゼンス制御メッセージを送受信する。具体的な制御メッセージとしては、登録(PUBLISH)メッセージ、購読(SUBSCRIBE)メッセージ及び報告(NOTIFY)メッセージである。
【００６９】
プレゼンス提供部１１０は、端末２から、ユーザ識別子を含むSUBSCRIBEメッセージを受信した際に、プレゼンスデータベース１１１から、ペアリング管理リスト１２２にエントリされた複数の端末におけるプレゼンス情報を取得する。これらプレゼンス情報を含むNOTIFYメッセージを、通信インタフェース１０２を介して端末２へ返信する。
【００７０】
ペアリング要求保持リスト１２１は、端末からペアリング要求メッセージを受信した際に、当該メッセージに含まれる複数の識別子をエントリとして一時的に蓄積する。各エントリは、以下の情報要素から構成される。
・ペアリング識別子（２つの端末識別子の連結）
・自側識別子（端末識別子／ユーザ識別子）
・相手側識別子（端末識別子／ユーザ識別子）
・ペアリング登録期間（ペアリング管理リストに登録する期間）
・ペアリング要求保持期間（ペアリング要求保持リストに登録する期間）
【００７１】
ペアリング管理リスト１２２は、２つの端末識別子をペアリングした１つのエントリとして登録する。各エントリは、以下の情報要素から構成される。
・ペアリング識別子（２つの端末識別子の連結）
・自側識別子（端末識別子／ユーザ識別子）
・自側識別子におけるペアリング登録期間
・相手側識別子（端末識別子／ユーザ識別子）
・相手側識別子におけるペアリング登録期間
・ペアリング最小登録期間（２つのペアリング登録期間のうち小さい方の期間）
【００７２】
ペアリング要求受信部１２３は、通信インタフェース部１０２を介して、端末から、ペアリング要求(PUBLISH)メッセージを受信する。ペアリング要求メッセージに含まれる、自側ユーザ識別子及び自側端末識別子と、相手側ユーザ識別子及び相手側端末識別子との情報は、リスト制御部１２４へ出力される。
【００７３】
リスト制御部１２４は、ペアリング要求保持リスト１２３に、自側識別子と相手側識別子とが相対するエントリが「登録」されている場合、ペアリング管理リスト１２２へ、第１の端末及び第２の端末のペアリングのエントリを登録すると共に、当該ペアリング要求保持リスト１２１から当該エントリを削除する。「登録」されていない場合、ペアリング要求メッセージに含まれる識別子を、ペアリング要求保持リスト１２１のエントリに新たに登録する。
【００７４】
ここで、各リストの検索には、エントリ毎に付与されたペアリング識別子を用いるものであってもよい。ペアリング識別子は、自側端末識別子と相手側端末識別子とを連結したものである。
【００７５】
図４は、本発明におけるユーザ端末の機能構成図である。
【００７６】
図４によれば、端末２は、短距離通信インタフェース２０１と、通信インタフェース２０２と、プレゼンスクライアント部２１０と、識別子交換部２１１と、自側識別子蓄積部２１２と、相手側識別子蓄積部２１３と、ペアリング要求送信部２１４とを有する。短距離通信インタフェース２０１及び通信インタフェース２０２を除くこれら機能構成部は、プレゼンスサーバに搭載されたコンピュータを機能させるプログラムを実行することによって実現される。
【００７７】
短距離通信インタフェース２０１は、例えば、非接触型電磁誘導通信、ブルートゥース又は赤外線のためのインタフェースである。短距離通信インタフェース２０１は、相手方の無線インタフェースから出力される電波を検出し、短距離無線リンクを確立する。
【００７８】
自側識別子蓄積部２１２は、自側端末識別子及び自側ユーザ識別子を蓄積する。自側識別子蓄積部２１２は、自側端末識別子を、識別子交換部２１１へ出力する。
【００７９】
識別子交換部２１１は、短距離通信インタフェース２０１によって確立された短距離無線リンクを介して、相手側端末との間で、瞬間的に、端末識別子を交換する。自側端末識別子及び自側ユーザ識別子が、相手側端末へ送信される。また、相手側端末から、相手側端末識別子及び相手側ユーザ識別子を受信する。受信された相手側端末識別子及び相手側ユーザ識別子は、相手側識別子蓄積部２１３へ出力される。
【００８０】
相手側識別子蓄積部２１３は、相手側端末識別子及び相手側ユーザ識別子を蓄積する。
【００８１】
通信インタフェース２０２は、プレゼンスサーバ１と通信するためのネットワークに接続する。端末２が携帯電話機である場合、通信インタフェース２０２は、携帯電話通信用のものである。また、端末２が固定端末である場合、通信インタフェース２０２は、アクセスネットワーク用のものである。
【００８２】
プレゼンスクライアント部２１０は、プレゼンスサーバ１に対するクライアントとして機能する。プレゼンスクライアント部２１０は、通信インタフェース２０２を介して、プレゼンス制御メッセージを送受信する。具体的な制御メッセージとしては、登録(PUBLISH)メッセージ、購読(SUBSCRIBE)メッセージ及び報告(NOTIFY)メッセージである。
【００８３】
ペアリング要求送信部２１４は、識別子交換部２１１によって識別子の交換が成功した際に、通信インタフェース２０２を介して、プレゼンスサーバ１へ、ペアリング要求(PUBLISH)メッセージを送信する。
【００８４】
また、ペアリング要求送信部２１４は、プレゼンスサーバ１へ既に登録したエントリに対して、新たなエントリ登録期間を含むペアリング登録期間変更メッセージを更に送信することもできる。これにより、自側識別子を含むエントリが、ペアリング管理リストに登録される期間を変更することができる。
【００８５】
更に、エントリ登録期間経過前にペアリングを解消したい場合、ペアリング要求送信部２１４は、プレゼンスサーバ１へ、エントリ登録期間を０に設定したペアリング登録期間変更メッセージを送信してもよい。これにより、自側識別子を含むエントリが、ペアリング管理リストから削除される。
【００８６】
即ち、エントリ登録期間の変更や、ペアリング解除も、一方の端末からのペアリング登録期間変更メッセージによって実行できる。
【００８７】
更に、ペアリング要求送信部２１４は、ペアリング要求メッセージに、プレゼンスサーバのペアリング要求保持リストへのエントリ保持期間を更に含むものであってもよい。そのエントリ保持期間の間、そのペアリング要求メッセージのペアリング識別子と同一のペアリング要求メッセージを待つこととなる。
【００８８】
図５は、本発明におけるプレゼンスサーバのペアリングの説明図である。
【００８９】
図５によれば、プレゼンスサーバ１が図２のシーケンスに応じて受信するプレゼンス制御メッセージに応じて、プレゼンスデータベースと、ペアリング要求保持リストと、ペアリング管理リストとのエントリの変化が表されている。
【００９０】
（Ｓ２０１）プレゼンスサーバ１は、端末Ａ１から、PUBLISHメッセージを受信した際に、プレゼンスデータベースに、そのプレゼンス情報を登録する。
ユーザ識別子[userA]<->端末識別子[devA1]
【００９１】
（Ｓ２０２）プレゼンスサーバ１は、端末Ａ２から、PUBLISHメッセージを受信した際に、プレゼンスデータベースに、そのプレゼンス情報を登録する。ここで、プレゼンスサーバ１には、既に、同一ユーザ識別子のプレゼンス情報が登録されている。そこで、プレゼンスサーバ１は、同一ユーザ識別子に対応させて、プレゼンス管理リストに、それら２つのプレゼンス情報を複合して登録する。
ユーザ識別子[userA]<->端末識別子[devA1]
<->端末識別子[devA2]
【００９２】
（Ｓ２０３）プレゼンスサーバ１は、端末Ｂ１から、PUBLISHメッセージを受信した際に、プレゼンスデータベースに、そのプレゼンス情報を登録する。
ユーザ識別子[userA]<->端末識別子[devA1]
<->端末識別子[devA2]
ユーザ識別子[userB]<->端末識別子[devB1]
【００９３】
（Ｓ２０５）プレゼンスサーバ１は、端末Ａ２から、端末Ｂとのペアリング要求のPUBLISHメッセージを受信する。
PUBLISHメッセージ（ペアリング、
自側ユーザ識別子[userA]、自側端末識別子[devA2]、
相手側ユーザ識別子[userB]、相手側端末識別子[devB1]、
ペアリング要求保持期間[30]、ペアリング登録期間[600]）
【００９４】
ペアリング要求のPUBLISHメッセージを受信したプレゼンスサーバ１は、ペアリング要求保持リストに、そのペアリング要求を登録する。ペアリング要求保持リストには、ペアリング識別子[A2pairB1]と、第１の識別子[devA2/userA]と、第２の識別子[devB1/userB]と、ペアリング要求保持期間[30]と、ペアリング登録期間[600]とが、登録される。ペアリング要求保持期間及びペアリング登録期間は、PUBLISHメッセージの受信時刻からの時間が計時される。
【００９５】
ペアリング要求保持リストは、ペアリング要求保持期間が経過するまで、そのエントリを保持する。ペアリング要求保持期間が経過した場合、そのエントリは、ペアリング要求保持リストから削除される。ペアリング要求保持期間の設定は、ペアリング要求保持リストのオーバーフローを防止すると共に、エントリ数を減らすことによって検索時間を短縮する。
【００９６】
（Ｓ２０６）次に、プレゼンスサーバ１は、端末Ａから、端末Ａ２とのペアリング要求のPUBLISHメッセージを受信する。
PUBLISHメッセージ（ペアリング、
自側ユーザ識別子[userB]、自側端末識別子[devB1]、
相手側ユーザ識別子[userA]、相手側端末識別子[devA2]）、
ペアリング要求保持期間[40]、ペアリング登録期間[300]）
【００９７】
ペアリング要求のPUBLISHメッセージを受信したプレゼンスサーバ１は、ペアリング要求保持リストに、そのペアリング要求を登録する。ペアリング要求保持リストには、ペアリング識別子[A2pairB1]と、第１の識別子[devB1/userB]と、第２の識別子[devA2/userA]と、ペアリング要求保持期間[40]と、ペアリング登録期間[300]とが、登録される。
【００９８】
ここで、プレゼンスサーバ１は、ペアリング要求保持リストから、同一のペアリング識別子のエントリを検索する。図５によれば、同一のペアリング識別子のエントリが存在することとなる。これら２つのエントリによれば、自側識別子及び相手側識別子が相対関係となる。そこで、プレゼンスサーバ１は、ペアリング要求保持リストから、これら２つのエントリを削除し、ペアリング管理リスト１２２へ、第１の端末及び第２の端末のペアリングのエントリを登録する。
【００９９】
ペアリング管理リストに登録されるこのエントリによれば、２つのペアリング要求のペアリング登録期間を比較し、小さい方のペアリング登録期間を、ペアリング最小登録期間とする。このペアリング最小登録期間が経過した際に、このエントリは、ペアリング管理リストから削除される。このようなリストの制御は、前述したリスト制御部１２４によって実行される。これによって、必要以上の時間、ペアリングされた相手側端末に使用されることを防止することができる。
【０１００】
このとき、ペアリング管理リストから削除されたエントリについて、ペアリング登録期間が長い方の識別子は、再度、ペアリング要求保持リストに登録される。ペアリング要求保持リストに新たに登録されたエントリは、そのペアリング登録期間の間に、同一のペアリング識別子のペアリング要求メッセージを受信することによって、ペアリング管理リストに再び登録される。尚、登録期間は、ペアリング要求メッセージの受信時刻からの経過時間を意味する。
【０１０１】
以上、詳細に説明したように、本発明のプレゼンス管理方法及びシステムによれば、端末間で端末識別子を交換し、両端末が、互いの端末識別子を含むペアリング要求メッセージをプレゼンスサーバへ送信することによって、メンバ管理サーバを別途備える必要無しに、複数の端末について複合されたプレゼンス情報を提供することができる。
【０１０２】
特に、短距離無線通信リンクで端末識別子を交換することによって、端末をアドホック的にペアリングすることができ、ユーザの確認シーケンスを必要としない。即ち、第三者によって、不正に端末がペアリングされる恐れがない。
【０１０３】
最後に、本発明におけるサービス形態について説明する。
【０１０４】
本発明のプレゼンス管理方法及びシステムは、ユーザが所有する端末から、ユーザが所有しない端末（例えば公共端末や他人の端末）を一時的にペアリングすることができる。これによって、ユーザは、その場所及び時刻に応じて最適の端末を、自らの端末として利用することができる。
【０１０５】
例えば、外出中に携帯電話機を用いて通話しているユーザが、通話の継続を、公共端末又は家庭用テレビを用いてテレビ電話へ移行することもできる。公共端末は、例えば、漫画喫茶、空港及びジムといった多くの場所に設置されている。これによって、通話経路も、携帯電話網から固定電話網に切り替えられ、携帯電話網のトラフィックも削減される。勿論、逆に、公共端末又は家庭用テレビから、携帯電話機へ、コンテツの視聴を移行することもできる。
【０１０６】
また、携帯電話機を用いてビデオ・オン・デマンド（ＶＯＤ(Video On Demand)）のコンテンツを視聴しているユーザが、視聴の継続を、公共端末や家庭用テレビへ移行することもできる。携帯端末は、小型ディスプレイを備えているために、映像サービスの視聴に適さないが、公共端末や家庭用テレビは、大型ディスプレイを備えているために、映像サービスの視聴に適する。
【０１０７】
前述した本発明の種々の実施形態について、本発明の技術思想及び見地の範囲の種々の変更、修正及び省略は、当業者によれば容易に行うことができる。前述の説明はあくまで例であって、何ら制約しようとするものではない。本発明は、特許請求の範囲及びその均
等物として限定するものにのみ制約される。
【符号の説明】
【０１０８】
１  プレゼンスサーバ
１０２  通信インタフェース
１１０  プレゼンス提供部
１１１  プレゼンスデータベース
１２１  ペアリング要求保持リスト
１２２  ペアリング管理リスト
１２３  ペアリング要求受信部
１２４  リスト制御部
２  ユーザ端末
２０１  短距離通信インタフェース
２０２  通信インタフェース
２１０  プレゼンスクライアント部
２１１  識別子交換部
２１２  自側識別子蓄積部
２１３  相手側識別子蓄積部
２１４  ペアリング要求送信部
【図１】
2011015296.tif 000003
【図２】
2011015296.tif 000004
【図３】
2011015296.tif 000005
【図４】
2011015296.tif 000006
【図５】
2011015296.tif 000007